(57)【特許請求の範囲】
【請求項１】
スキャナが順次ライン出力する画像データと、画像データに付帯する同期信号を受けて、前記ラインの方向である主走査方向ｘで複数に分割された各分割ラインの画像データをそれぞれが編集処理する複数組の画像デ−タ編集手段と、各画像デ−タ編集手段に編集位置および編集指示を与える制御手段、を備え、前記画像デ−タ編集手段のそれぞれが、前記同期信号を使用して画像デ−タの主走査方向ｘおよび副走査方向ｙの位置を計測する主走査位置カウント手段および副走査位置カウント手段、ならびに、これらのカウント手段が計測した位置が前記制御手段が与えた編集位置であるとき画像デ−タに、前記編集指示が指定する処理を施すデ−タ処理手段、を含む、分割画像の編集処理装置。
【請求項２】
前記複数組の画像デ−タ編集手段は、主走査方向ｘで先位置の第１分割ラインおよびその後位置の第２分割ラインをそれぞれが受ける第１および第２画像デ−タ編集手段を含み、第２画像デ−タ編集手段の前記主走査位置カウント手段は、そのカウント値に、第１画像デ−タ編集手段の前記主走査位置カウント手段の、分割領域幅相当のカウント値を加えたカウントデータを出力し、第２画像デ−タ編集手段の前記デ−タ処理手段は、該カウントデータが前記制御手段が与えた編集位置であるとき画像デ−タに、前記編集指示が指定する処理を施す、請求項１に記載の、分割画像の編集処理装置。
【請求項３】
各画像デ−タ編集手段は、制御手段が与えた開始位置以前および終了位置以降の画像をトリムする画像縁部トリム処理を画像デ−タに施す、請求項１又は２に記載の、分割画像の編集処理装置。
【請求項４】
各画像デ−タ編集手段は、制御手段が与えたセンターマスク領域の画像をマスクするセンターマスク処理を画像デ−タに施す、請求項１，２又は３に記載の、分割画像の編集処理装置。
【請求項５】
各画像デ−タ編集手段は、制御手段が与えた枠領域位置および編集指示に応じて、該枠領域の内又は外の画像を消去する処理を画像デ−タに施す、請求項１，２，３又は４に記載の、分割画像の編集処理装置。
【請求項６】
請求項１乃至５のいずれか１つに記載の分割画像の編集処理装置を具備する画像形成装置。
【発明の詳細な説明】
【０００１】
【発明の属する技術分野】
本発明は、原画像を編集した、表示又はプリント用の画像デ−タを生成する画像処理装置に関し、特に、原画像を表わす画像デ−タが、原画像を複数に分断した分割画像を表わす複数組で与えられる場合に適用する画像処理装置に関する。この装置は例えば、原稿スキャナで読取った画像の処理に用いることができ、また例えば複写機，プリンタ，ファクシミリなどの画像形成装置に用いられる。
【０００２】
【従来の技術】
近年の画像読取，表示出力，プリント出力等の画像処理能力向上と、複写機のコピースピードの増加に伴ない、処理の基準時間となるクロックスピードの増加が激しくなってきている。また、それに伴なって、画像処理における画像データフォーマットや画像データの同期信号と画像データの関係を改良して、画像データの量子化数を今までより減らして複数画素を束ねて（パッキングして）処理することで一度に複数画素分の処理を実行させたり、また、１ライン分の画像デ−タを複数組に分割して並列処理を行うライン分割処理を採用することで画像処理速度を向上させることが行われつつある。
【０００３】
【発明が解決しようとする課題】
例えば、主走査方向ｘの画像読取の幅をＡ４版の短辺をカバ−する短幅から、長辺をカバ−する広幅に変更すると、Ａ４版の縦方向副走査を、横方向副走査に変えて、副走査長が短くなる分、原稿読取時間を短縮できるし、Ａ３版原稿の画像読取も可能となる。１個のＣＣＤの主走査方向読取幅を広くすると、分解能は同じとすると、１ライン分の読取速度が低下する。ＣＣＤの主走査方向の読取幅を広げることなく、むしろ狭くするために、主走査方向ｘの最大読取幅を複数（例えば２）に分割し、複数個のＣＣＤで分割読取りするのが好ましい。
【０００４】
ところが、読取った画像デ−タの編集処理は、分割読取の各分割領域の画像デ−タを画面全幅につなぎ合せて、従来のライン単位にしてから行なっており、編集処理の高速化も望まれる。特開平１−２５６２７１号公報は、編集処理の一種である、画像の指定された領域をマスクする方法を提示しているが、画像サイズが広くなると、あるいはＤＰＩが高くなると、一枚の画像に関する処理速度が低下する。したがって、編集処理の高速化も必要である。
【０００５】
本発明は、ライン分割処理に対応して編集処理も高速化することを第１の目的とし、一枚の画像を複数に分割した各分割画像を表わす、複数組の画像デ−タに対して、トリミング，マスキングあるいは枠消去の処理を施しこの処理速度を高くすることを第２の目的とする。
【０００６】
【課題を解決するための手段】
（１）スキャナが順次ライン出力する画像データと、画像データに付帯する同期信号を受けて、前記ラインの方向である主走査方向ｘで複数に分割された各分割ラインの画像データをそれぞれが編集処理する複数組の画像デ−タ編集手段(Fm,Lm)と、各画像デ−タ編集手段(Fm,Lm)に編集位置および編集指示を与える制御手段(60)、を備え、前記画像デ−タ編集手段(Fm,Lm)のそれぞれが、前記同期信号を使用して画像デ−タの主走査方向ｘおよび副走査方向ｙの位置を計測する主走査位置カウント手段(Fm1/Lm1)および副走査位置カウント手段(Fm2/Lm2)、ならびに、これらのカウント手段が計測した位置が前記制御手段(60)が与えた編集位置であるとき画像デ−タに、前記編集指示が指定する処理を施すデ−タ処理手段(Fm6/Lm6)、を含む、分割画像の編集処理装置(図3)。
【０００７】
なお、理解を容易にするためにカッコ内には、図面に示し後述する実施例の対応要素の符号又は対応事項を、参考までに付記した。
【０００８】
これによれば、各画像デ−タ編集手段(Fm,Lm)によって各組の画像デ−タに編集処理が行なわれ、この段階で各画像デ−タ編集手段(Fm,Lm)が扱う画像デ−タが、１ライン分より狭い幅部分のものであるので、処理に時間がかからず、各画像デ−タ編集手段(Fm,Lm)の処理速度が速い。しかして、画像デ−タ編集手段(Fm,Lm)が並行して処理するので、１ライン全幅分を１組の画像デ−タ編集手段で編集処理する場合に比較して、処理速度が格段に向上する。
【０００９】
【発明の実施の形態】
（２）前記複数組の画像デ−タ編集手段は、主走査方向ｘで先位置の第１分割ラインおよびその後位置の第２分割ラインをそれぞれが受ける第１および第２画像デ−タ編集手段(Fm,Lm)を含み、第２画像デ−タ編集手段(Lm)の前記主走査位置カウント手段(Lm1)は、そのカウント値に、第１画像デ−タ編集手段(Fm)の前記主走査位置カウント手段(Fm1)の、分割領域幅相当のカウント値を加えたカウントデータを出力し、第２画像デ−タ編集手段(Lm)の前記デ−タ処理手段(Lm6)は、該カウントデータが前記制御手段(60)が与えた編集位置であるとき画像デ−タに、前記編集指示が指定する処理を施す、上記（１）に記載の、分割画像の編集処理装置(図3)。
【００１０】
（３）各画像デ−タ編集手段(Fm,Lm)は、制御手段(60)が与えた開始位置以前および終了位置以降の画像をトリムする画像縁部トリム処理を画像デ−タに施す。これによれば、例えば図４の（ａ）に点々塗り潰しで示す画像縁のトリミング（画像消去：複写の場合は白紙化）が実現する。
【００１１】
（４）各画像デ−タ編集手段(Fm,Lm)は、制御手段(60)が与えたセンターマスク領域の画像をマスクするセンターマスク処理を画像デ−タに施す。これによれば、例えば図４の（b）に点々塗り潰しで示すセンタ領域の画像マスク（画像消去：複写の場合は白紙化）が実現する。
【００１２】
（５）各画像デ−タ編集手段(Fm,Lm)は、制御手段(60)が与えた枠領域位置および編集指示に応じて、該枠領域の内又は外の画像を消去する処理を画像デ−タに施す。例えば図４の（c）に点々塗り潰しで示す枠領域の内又は外の画像消去（複写の場合は白紙化）が実現する。
【００１３】
（６）上記（１）乃至（５）のいずれか１つに記載の分割画像の編集処理装置(図３)を具備する画像形成装置(図２の（ａ）)。
【００１４】
【実施例】
図１の（ａ）に本発明の一実施例の外観を示す。この実施例はデジタル複写機であり、レ−ザプリンタＰＲＲに複写，ファクシミリ送受信およびコンピュ−タ出力の制御を行なうコントロ−ラＣＲＵを接続し、このコントロ−ラＣＲＵにスキャナＳＣＲおよび操作ボ−ドＯＰＢを接続したものである。
【００１５】
図１の（ｂ）には、（ａ）に示す複写機をｘ−ｚ面で破断した断面の概要を示す。原稿は読み取り面が下向きになるようにコンタクトガラス１上にセットされ、光源２（２ａ，２ｂ）により照明され、その反射光がミラー３〜７およびレンズ８を通して反射および収束され、イメージラインセンサ（以下、ＣＣＤ）９（９ａ，９ｂ）により読み取られる。この実施例では、ＣＣＤ９は、コンタクトガラス１に定めた、主走査方向ｘの読取領域の中央を境に、主走査方向ｘの原点から該中央までの領域ＦをＦ側読取のＣＣＤ９ａが、該中央から読取領域終点までの領域ＬをＬ側読取のＣＣＤ９ｂが読取るように、２個のＣＣＤ９ａ，９ｂが備わっている。
【００１６】
光源２及びミラー３は、コンタクトガラス１の下面をコンタクトガラス１と平行に副走査方向ｙに移動する走行体１０に搭載されている。ミラ−４，５を搭載された走行体１１も同方向に移動するが、走行体１０の移動速度の１／２の速度で走行体１１が移動し、これにより、走行体１０，１１の移動の間、ミラ−３から、ミラ−４〜７およびレンズ８を介してイメ−ジセンサ−９に至る光学長は一定である。主走査は、ＣＣＤイメージセンサ９ａ，９ｂの固体走査（主走査ｘ）によって行われ、原稿画像はＣＣＤイメージセンサ９ａ，９ｂによって読み取られ、前述のように光学系がｙ方向に移動することで原稿全体が副走査ｙされることになっている。
【００１７】
レーザープリンタＰＲＲには、レーザー書き込み系，画像再生系ならびに給紙系などが備わっている。前記レーザー書き込み系のレーザー出力ユニット２１の内部には、レーザー光源であるレーザーダイオード及び電気モ−タによって高速で定速回転する多角形ミラー（ポリゴンミラー）が設けられている。レーザー書き込み系から出力されるレーザー光が、画像再生系の感光体ドラム２４に照射される。感光体ドラム２４の周囲には、帯電チャージャ２５，イレーサ２６，現像ユニット２７，分離爪３０，クリーニングユニット３１などが備わっている。尚、感光体ドラム２４の一端近傍でレーザービームが照射される位置に、主走査同期信号（ＭＳＹＮＣ）を発生するビームセンサ（図示せず）が配置されている。
【００１８】
このレーザープリンタにおける画像再生のプロセスを簡単に説明すると、感光体ドラム２４の周面は、帯電チャージャ２５によって一様に高電位に帯電される。その周面にレーザー光が照射されると、照光された部分は電位が下かる。レーザー光は記録再生の黒／白に応じてオン／オフされ、なおかつパルス幅変調（ＰＷＭ）またはパワー変調（ＰＭ）によって、感光体ドラム面上のレーザー照射エネルギーを制御する。その結果、感光体ドラム面上には、記録画像の階調レベルに対応する電位分布、すなわち静電潜像が形成される。静電潜像が形成された部分が現像ユニット２７を通ると、その電位の高低に応じてトナーが付着し、静電潜像が、可視化したトナー像となる。トナー像が形成された部分に所定のタイミングで記録シート３２が送り出されそれにトナ−像が転写される。記録シ−ト３２は、その後分離チャージャ２９ならびに分離爪３０によって、感光体ドラム２４から分離される。分離された記録シート３２は、搬送ベルト３４によって搬送され、ヒータを内蔵した定着ローラ３５によって加熱定着されたのち、排紙トレイ３６に排出される。
【００１９】
給紙カセット３３内の記録シートは、給紙ローラ３７によって給紙される。給紙ローラ３７から給紙された記録シートは、レジストローラ３８に当接した状態で一旦停止し、記録プロセスの進行に同期したタイミングで感光体ドラム２４に送り込まれる。
【００２０】
図２の（ａ）には、図１に示すデジタル複写機の、複写機能の全体ブロック構成を示す。処理全般の指示を与えるコントロ−ラＣＲＵのＣＰＵ６０が、スキャナＳＣＲおよびプリンタＰＲＲに、指示信号，制御信号および同期信号を与えると共に、コントロ−ラＣＲＵ内の画像処理部４０および画像蓄積部にも、指示信号，制御信号および同期信号を与える。
【００２１】
ＣＣＤ９ａ，９ｂにより読み取られ、Ａ／Ｄ変換によるデジタルデ−タに変換された２組の画像データＦ，Ｌは、スキャナＳＣＲにおいてスキャナ特性の補正を受け、コントロ−ラＣＲＵの画像処理部４０においてディザ，誤差拡散など所定の画質処理を施された後、下位ブロックの画像フォーマットに従って出力され、画像蓄積部５０に送られる。画像蓄積部５０は、少なくともコピー出力紙（以下、転写紙）一枚分の画像編集用の一時的なメモリ領域と、ＨＤなどの大容量の記憶媒体を持つことにより、多数部の画像データを蓄積可能で、画像データの圧縮／伸張機能を有して、画像情報の蓄積量を更に増やしている。プリンタＰＲＲは画像蓄積部から画像データを受け取って転写紙に出力する。
【００２２】
図２の（ｂ）に、画像処理部４０の構成を示す。その中のマスク処理４１は画像データと制御信号を受け取り、ＣＰＵ６０より送られて来た、画像端トリム指定／画像センターマスク指定／画像消去枠指定に従って、入力画像のマスクを行なう。γ補正処理４２は、ＲＡＭなどの記憶領域に予め格納された多数の変換テーブルを通して、画質の濃度変調の調整をおこなう。ディザ処理部４４は、画素１ドットを複数の参照テーブルを用いて量子化レベルを低くしながらも階調性を重視した中間調処理をおこなう。誤差拡散処理部４３は、量子化レベルを落とす時に発生した誤差を周囲の量子化時に分配することにより、濃度を保存する処理をおこなう。
【００２３】
図３に、マスク処理４１の機能構成を示す。主走査方向ｘの最大読取幅の前半Ｆを読取るＦ側ＣＣＤ９ａで得たＦ側画像デ−タを処理するＦ側マスタ処理部Ｆｍの主走査カウンタＦｍ１は、各ラインの開始を示すライン同期信号ｘｆｌsyncおよび１ラインの有効幅（主走査方向ｘの有効幅）を示す主走査範囲信号ｘｆｌgateを受け取って、画素ピッチを定める画素同期信号をカウントして、主走査方向ｘの画像位置（そのときの画像デ−タが割り宛てられる画像上ｘ位置）を表すデータを生成する。すなわち、主走査カウンタＦｍ１は、ライン同期信号ｘｆｌsyncでリセットされ主走査範囲信号ｘｆｌgateが有効幅期間であることを示すアクティブレベルの間画素同期信号をカウントアップして、カウントデータをＦ側の主走査位置として出力する。このカウント値の最大値（主走査方向ｘの最大読取幅の半分の値）は、ラッチに保持され、Ｌ側マスク処理部Ｌｍの主走査カウンタＬｍ１に初期値として与えられる。
【００２４】
主走査方向ｘの最大読取幅の後半Ｌを読取るＬ側ＣＣＤ９ｂで得たＬ側画像デ−タを処理するＬ側マスク処理部Ｌｍの主走査カウンタＬｍ１は、各ラインの開始を示すライン同期信号ｘｌｌsyncおよび１ラインの有効幅（主走査方向ｘの有効幅）を示す主走査範囲信号ｘｌｌgateを受け取って、画素ピッチを定める画素同期信号を、ラッチのデータ（Ｆｍ１の最大カウント値）を初期値としてそれからカウントアップする。すなわち、主走査カウンタＬｍ１は、ライン同期信号ｘｌｌsyncでリセットされてラッチのデータを初期値としてカウントデータにロードし、主走査範囲信号ｘｌｌgateが有効幅期間であることを示すアクティブレベルの間画素同期信号を該初期値からカウントアップして、カウントデータを、Ｌ側の主走査位置として出力する。
【００２５】
Ｆ側，Ｌ側マスク処理部Ｆｍ，Ｌｍの副走査カウンタＦｍ２，Ｌｍ２は、ライン同期信号ｘｆｌsync，ｘｌｌsyncおよび副走査ｙ方向の有効幅を示す副走査範囲信号ｘｆｆgate，ｘｌｆgateを受け取って、副走査方向ｙの画像位置（そのときの画像デ−タが割り宛てられる画像上ｙ位置）をカウントする。すなわち、副走査範囲信号ｘｆｌgate，ｘｌｌgateの始点でライン同期信号ｘｆｌsync，ｘｌｌsyncのカウントを開始し、各カウント値を、Ｆ側，Ｌ側の副走査位置とする。
【００２６】
画像端トリム生成Ｆｍ３，Ｌｍ３は、画像デ−タの受信開始前に、ＣＰＵ６０からトリム位置を決定する情報ｘ１，ｘ２，ｙ１，ｙ２（図４の（ａ））を受けてそれらの内部のレジスタ（メモリ）に保持する。Ｆ側画像デ−タ，Ｌ側画像デ−タが供給されるようになると、副走査カウンタＦｍ２，Ｌｍ２のカウントデ−タがｙ１以下の間とｙ２以上の間、ならびに、ｙ１を越えｙ２未満の領域では主走査カウンタＦｍ１，Ｌｍ１のカウントデ−タがｘ１以下およびｘ２以上の区間で、トリム出力（画像消去レベル）を指示する、トリム出力信号を発生して、マスク出力Ｆｍ６，Ｌｍ６に与える。マスク出力Ｆｍ６，Ｌｍ６は、トリム出力信号がある間に与えられるＦ側，Ｌ側画像デ−タを、非記録レベルを表わすものに書替えて、連接集成Ｃｍに出力する。
【００２７】
画像センターマスク生成Ｆｍ４，Ｌｍ４は、画像デ−タの受信開始前に、ＣＰＵ６０から画像センターマスク情報ｘ１，ｘ２，ｙ１，ｙ２（図４の（ｂ））を受けてそれらの内部のレジスタに保持する。Ｆ側画像デ−タ，Ｌ側画像デ−タが供給されるようになると、主走査カウンタＦｍ１，Ｌｍ１のカウントデ−タがｘ１以上かつｘ２以下の間、ならびに、副走査カウンタＦｍ２，Ｌｍ２のカウントデ−タがｙ１以上かつｙ２以下の間、マスク出力（画像消去レベル）を指示する、マスク出力信号を発生して、マスク出力Ｆｍ６，Ｌｍ６に与える。マスク出力Ｆｍ６，Ｌｍ６は、画像センターマスク指示が与えられていることを条件に、マスク生成Ｆｍ４，Ｌｍ４からマスク出力信号がある間に与えられるＦ側，Ｌ側画像デ−タを、非記録レベルを表わすものに書替えて、連接集成Ｃｍに出力する。
【００２８】
画像消去枠生成Ｆｍ５，Ｌｍ５は、画像デ−タの受信開始前に、ＣＰＵ６０から画像消去枠情報ｘ１，ｘ２，ｙ１，ｙ２（図４の（ｃ））および内消／外消指示情報を受けてそれらの内部のレジスタに保持する。Ｆ側画像デ−タ，Ｌ側画像デ−タが供給されるようになると、内消指示があるときには、主走査カウンタＦｍ１，Ｌｍ１のカウントデ−タがｘ１以上かつｘ２以下の間、ならびに、副走査カウンタＦｍ２，Ｌｍ２のカウントデ−タがｙ１以上かつｙ２以下の間の、枠領域内であるときに、画像消去信号を発生して、マスク出力Ｆｍ６，Ｌｍ６に与える。外消指示があるときには、該枠領域外であるときに画像消去信号を発生して、マスク出力Ｆｍ６，Ｌｍ６に与える。マスク出力Ｆｍ６，Ｌｍ６は、枠（内，外）消去指示が与えられていることを条件に、マスク生成Ｆｍ４，Ｌｍ４から画像消去信号がある間に与えられるＦ側，Ｌ側画像デ−タを、非記録レベルを表わすものに書替えて、連接集成Ｃｍに出力する。
【００２９】
図４の（ａ）／（ｂ）／（ｃ）にそれぞれ、画像端トリム／画像センターマスク／画像枠消去を行なう場合の、画像が消去される領域を、点々の塗り潰しで示す。
【００３０】
図５の（ａ）には、上述のように、一ラインを主走査方向ｘに２分割して読み取った場合の、コンタクトガラス１上の、原稿読取領域（原稿読み取り面）と、Ｆ側ＣＣＤ９ａ，Ｌ側ＣＣＤ９ｂの読取有効領域の関係を示す。主走査有効領域ＦおよびＬのそれぞれを、主走査範囲信号ｘｆｌgateおよびｘｌｌgateが表わす。図５の（ｂ）には、主走査有効領域ＦおよびＬと、Ｆ側ＣＣＤ９ａおよびＬ側ＣＣＤ９ｂの原稿読取範囲Ａ，Ｃ，ＥおよびＢ，Ｄ，Ｆの関係を示す。
【００３１】
図６の（ａ）には、Ｆ側，Ｌ側マスク処理部Ｆｍ，Ｌｍに与えられる同期信号と各読取範囲Ａ，Ｃ，ＥおよびＢ，Ｄ，Ｆの画像デ−タの発生タイミングを示し、図６の（ｂ）には、Ｆ側，Ｌ側画像デ−タラインの末部および始部の画素単位の画像デ−タ区分を示す。
【００３２】
副走査有効領域を示す副走査範囲信号ｘｆｆgate，ｘｌｆgateは、図１の（ｂ）の光源２ａ，２ｂとミラー３が走査する方向、つまり副走査方向ｙの画像範囲を示す信号で、画素同期信号は、ＣＣＤ９ａ，９ｂの読み取り方向、つまり主走査方向ｘの画素区分を示す信号であり、ライン同期信号ｘｆｌsync，ｘｌｌsyncは各ラインの開始を示す信号であり、主走査範囲信号ｘｆｌgate，ｘｌｌgateは、主走査方向ｘの画像範囲（ラインの始点から終点まで）を示す信号である。このＣＣＤ９ａ，９ｂで、主走査方向の最大幅（最高ライン長）の前半（Ｆ）１／２および後半（Ｌ）１／２を読取るので、すなわち一走査ラインを２分割しているので、前半ライン（Ｆ側）および後半ライン（Ｌ側）の二つの画像データＦ，Ｌならびに２組の同期信号が並行して発生する。主走査方向ｘの原稿の読み取りは図５の（ｂ）に示すように、ＣＣＤ９ａによってＦ側のラインＡ，Ｃ，Ｅを、そしてＣＣＤ９ｂによってＬ側のラインＢ，Ｄ，Ｆを別々に並行走査されて行くことになる。なお、これはＦ側とＬ側の走査方向は同じになっているが、ＣＣＤの電荷蓄積の並びを変更することで、Ｆ側とＬ側の画素の並びを変更することも可能である。
【００３３】
同期信号ｘｆgate，ｘｆｌsync，ｘｌｌsync，ｘｆｌgate，ｘｌｌgateの時間的な関係を図６の（ａ）に示す。この場合はＦ側とＬ側の画像データと同期信号がｘｌｌsync一つ分ずれて同じタイミングで入って来るものであるが、これは並んだＣＣＤ９ａ，９ｂの電荷蓄積タイミングが同一なためであり、これをずらすことで、Ｆirst（前半）／Ｌatter（後半）側のタイミングを前後させることが出来る。また、別の方法としては、図２の（ａ）のスキャナＳＣＲから画像処理部４０へのインターフェイス部の段階で、ラインメモリ等を用いてタイミングをずらすことも可能である。
【００３４】
再度図２の（ｂ）を参照する。この実施例では、マスク処理４１の下流のγ補正処理４２，誤差拡散処理およびディザ処理４４が、ライン長に分断がない一ライン全ライン長の画像デ−タを処理するように構成されているので、これらに適合するように、図３に示すマスク処理４１にて、マスク処理を終えたＦ側出力画像デ−タに、Ｌ側出力画像デ−タを、ライン（Ａ，Ｃ，Ｅ／Ｂ，Ｄ，Ｆ）をつないで一本のライン（Ａ＋Ｂ，Ｃ＋Ｄ，Ｅ＋Ｆ）とする形につなぐ連接集成を施す。
【００３５】
図３を参照すると、連接集成Ｃｍにおいては、Ｆ側およびＬ側出力画像デ−タは半ラインメモリＣｍ１およびＣｍ２に書込まれる。両ラインメモリＣｍ１およびＣｍ２への書込みは、実質上同時に終了する。両メモリへの書込みが終了すると、まずメモリＣｍ１のＦ側出力画像デ−タが、一方のフルラインメモリＣｍ３に書込まれこれが終了するとメモリＣｍ２のＬ側出力画像デ−タが同じフルラインメモリＣｍ３に書込まれる。次のラインのＦ側出力画像デ−タは半ラインメモリＣｍ１を経由して他方のフルラインメモリＣｍ４に書込まれ、同じくＬ側出力画像デ−タも半ラインメモリＣｍ２を経由してフルラインメモリＣｍ４に書込まれる。この、次ラインの画像デ−タをフルラインメモリＣｍ４に書込んでいるときに、前ラインの全ラインの画像デ−タ（Ｆ＋Ｌ）がフルラインメモリＣｍ３が読出されて、下流の処理部４２，４４に与えられる。同様にして、フルラインメモリＣｍ３に次々ラインの画像デ−タを書込んでいるときに、フルラインメモリＣｍ４から次ラインの画像デ−タ（Ｆ＋Ｌ）が読出されて下流の処理部４２，４４に与えられる。以下同様である。
【００３６】
図７の（ａ）に、γ補正処理４２の構成を示す。例えば８ビットの画像データをγ変換するためには、予めダウンロード切り替え信号でデータ選択部４２１をＣＰＵアドレス側に倒しておいて、ＲＡＭ４２２のチップセレクトとライトイネーブルをアクティブにしてＲＡＭ４２２にＣＰＵ６０からダウンロードし、通常動作中はダウンロード切り替え信号でデータ選択部４２１を入力画像データ側に切り替えてＲＡＭ４２２のアドレスとし、アドレスに対して出力されたデータをγ変換後のデータとして取り出す。この構成により、γ変換処理前にγ変換の要求特性に対応した色々なデータをＣＰＵ６０からＲＡＭ４２２へダウンロードすることにより、外部からＣＰＵ６０へ与えられた要求特性を満すγ変換を行なう。
【００３７】
図７の（ｂ）に、誤差拡散処理４３の構成を示す。誤差加算４３１は、処理対象画素となるＭの階調数を有する入力画像データＤijと、誤差演算４３２から受け取ったＤijに対しての周辺誤差情報を受け取り、それらの和を取って、Ｎ（Ｎ≦Ｍの自然数）の階調数を有する誤差補正後の入力画素データＳijを出力する。量子化４３３は、誤差補正後の入力画素データＳijと、ＣＰＵ６０から受け取った求める量子化数（入力画像データＭビットに対し、Ｎビット、但しＭ＞Ｎ）に合わせた量子化しきい値を受け取り、階調処理を行なって出力画像データＧijを出力する。
【００３８】
誤差演算４３２は誤差補正後の入力画素データＳijと、出力画像データＧijを受け取って、入力画像データＤijを量子化した際の量子化誤差Ｅijを求める。量子化誤差Ｅijは誤差マトリクス蓄積４３５において、ラインメモリなどの記憶素子にたいして書き込み／読み出しされる。誤差演算４３２は誤差マトリクス蓄積４３５から得られた、図７の（ｃ）に示すような形状の誤差拡散マトリクスを生成し、各マトリクス係数に従って、処理対象画素（図７の（ｃ）上で×印）となる入力画像データＤijの周辺誤差情報を算出する。図７の（ｃ）上で横方向が主走査方向ｘ、縦方向が副走査方向ｙであり、１つの４角（ブロック）が１画素を表わし、数字が係数値を示す。図７の（ｃ）に示すような誤差マトリクスとその係数の場合、注目画素Ｄijに対する周辺誤差情報Ｅは、
Ｅ＝(Ｄｉ−２，ｊ−１＋２×Ｄｉ−１，ｊ−１＋４×Ｄｉ，
ｊ−１＋２×Ｄｉ＋１，ｊ−１＋Ｄｉ＋２，ｊ−１＋２×Ｄｉ−２，
ｊ＋４×Ｄｉ−１，ｊ）／１６
で与えられる。
【００３９】
図８の（ａ）に、ディザ処理４４の構成を示す。アドレスカウンタ制御４４１は、画像データの制御信号群であるｘｆｌgateとｘｆｆgateを受け取って、主走査側および副走査側についてカウントを行ない、このカウント値をしきい値テーブル制御４４２へ渡す。ここで、この主走査および副走査方向のカウント値は該当する画像データの位置を指し示すことになる。しきい値テーブル制御４４２の中にはしきい値テ−ブルがあり、しきい値テ−ブル制御４４２は、図８の（ｂ）〜（ｄ）に示すディザマトリクス例に示すように、選択されたしきい値テーブルの大きさ、４×４／６×６／８×８等に従がってマトリクスを選択し、アドレスカウンタ制御４４１から受け取った主走査／副走査方向のカウント値と比較して、処理する画像データの位置と一致するしきい値データをマトリクスの中から選び出し、比較回路４４３へ送る。例えば図８の（ｂ）に示す４×４マトリクスが選択された場合、先頭ラインのしきい値は主走査方向ｘに沿って、
ａａ  ａｂ  ａｃ  ａｄ  ａａ  ａｂ  ａｃ  ａｄ  ａａ  ａｂ  ………という流れでしきい値を繰り返し選択して比較回路４４３に与え、また主走査方向ｘの先頭画素（ラインの先頭画素）は副走査方向ｙに沿って、
ａａ  ｂａ  ｃａ  ｄａ  ａａ  ｂａ  ｃａ  ｄａ  ａａ  ｂａ  ………という流れでしきい値を繰り返す。この例ではしきい値が一つで量子化を行なう二値化処理の場合であるが、このしきい値を１画素宛てに複数持つマトリクスで量子化を行なうと多値化処理も可能となる。
【００４０】
出力選択部４５は、「出力選択設定」信号に応じて、誤差拡散処理によって得る出力デ−タと、ディザ処理４４によって得る出力デ−タを選択的に摘出して、出力画像デ−タとして出力する。「出力選択設定」信号は、ＣＰＵ６０が、原稿読取に先立って設定する態様と、画像処理部４０に含まれる、図示しない階調（写真）／線画（文字）領域判定回路が、画像デ−タに基づいて判定する画調に応じて自動設定する態様、ならびにそれらの組合せがある。
【図面の簡単な説明】
【図１】  （ａ）は、本発明の一実施例を装備したデジタル複写機の外観を示す斜視図、（ｂ）はそのｙ−ｚ拡大断面図である。
【図２】  （ａ）は、図１に示すデジタル複写機の主要装置の組合せ概要を示すブロック図、（ｂ）は、（ａ）に示す画像処理部４０の構成の主要部を示すブロック図である。
【図３】  図２の（ｂ）に示すマスク処理４１の機能構成を示すブロック図である。
【図４】  図３に示すマスク処理４１が行なう画像編集を示し、原画像が消去される領域を点々の塗り潰しで示す。（ａ）は画像縁（原稿端縁）の画像記録をなしにする画像端トリムの場合を、（ｂ）は主走査方向ｘの中央部を帯状に、また副走査方向ｙの中央部を帯状に、白紙（画像記録なし）にするセンタ−マスクの場合を、（ｃ）は、入力があった枠領域内の画像を消去する枠消去の場合を示す。
【図５】  （ａ）は、図１に示すコンタクトガラス１の領域すなわち原稿読み取り面と、それに対して定められた主走査方向ｘの最大読取幅（光源とミラ−による投影領域）、および、載置原稿の関係を示す平面図、（ｂ）は、該原稿上の、Ｆ側ＣＣＤ９ａによる読取領域Ａ，Ｃ，ＥおよびＬ側ＣＣＤ９ｂによる読取領域Ｂ，Ｄ，Ｆを模擬的に示す平面図である。
【図６】  （ａ）は、図３に示すマスク処理４１に与えられる画像デ−タおよび同期信号の相対タイミングを示すタイムチャ−トであり、（ｂ）は（ａ）に示す１ライン区間の末部と始部を、時間軸を拡大して示すタイムチャ−トである。
【図７】  （ａ）は図２の（ｂ）に示すγ補正処理４２の機能構成を示すブロック図、（ｂ）は誤差拡散処理４３の機能構成を示すブロック図、（ｃ）は誤差マトリクス蓄積４３５に保持する誤差拡散マトリクスの内容を示す平面図である。
【図８】  （ａ）は図２の（ｂ）に示すディザ処理４４の機能構成を示すブロック図、（ｂ），（ｃ）および（ｄ）は、しきい値テ−ブル制御４４２に保持するしきい値テ−ブルのサイズと１画素当てのしきい値（ａａ，・・・）の分布を示す平面図である。
【符号の説明】
ＳＣＲ：スキャナ      ＯＰＢ：操作ボ−ド
ＣＲＵ：コントロ−ラ  ＰＲＲ：レ−ザプリンタ
１：コンタクトガラス  ２ａ，２ｂ：光源
３，４〜７：ミラー    ８：レンズ
９ａ，９ｂ：ＣＣＤ    １０，１１：走行体
２１：レーザー出力ユニット
２２：結像レンズ      ２３：ミラー
２４：感光体ドラム    ２５：帯電チャージャ
２６：イレーサ        ２７：現像ユニット
２９：分離チャージャ  ３０：分離爪
３２ａ，３２ｂ：記録シート
３３：給紙カセット    ３４：搬送ベルト
３５：定着ローラ      ３６：排紙トレイ
３７：給紙ローラ      ３８：レジストローラ
【図１】
0003801827.tif 000002
【図２】
0003801827.tif 000003
【図３】
0003801827.tif 000004
【図４】
0003801827.tif 000005
【図５】
0003801827.tif 000006
【図６】
0003801827.tif 000007
【図７】
0003801827.tif 000008
【図８】
0003801827.tif 000009